(57)【特許請求の範囲】
【請求項１】
床に設置される棚本体と、前記棚本体を床に固定するための連結金具とを有しており、
前記棚本体は、複数段の棚板とこれらを左右両側から支持する左右のサイド支持体とを備えていて固定式の底板は備えておらず、前記左右のサイド支持体は、後端部又は前後中間部が背板で連結されている一方、
前記連結金具は、その全体が前記サイド支持体の下方に位置した状態でアンカーによって床に固定されており、前記サイド支持体は、軸線を左右横向きにしかつ前記棚本体の内側から回転操作されるねじで前記連結金具に固定されており、
前記棚本体が固定式の底板は備えていないことにより、前記ねじを前記棚本体の内側から回転操作することが許容されている、
棚装置。
【請求項２】
床に設置される棚本体と、前記棚本体を床に固定するための連結金具とを有しており、
前記棚本体は、左右のサイド支持体とこれらで支持される複数段の棚板とを有している一方、
前記連結金具は、その全体が前記サイド支持体の下方に位置した状態でアンカーによって床に固定されており、前記サイド支持体は、軸線を左右横向きにしたねじによって前記連結金具に固定されている構成であって、
前記棚本体の左右サイド支持体は、板状の形態であってその後部又は前後中間部が背板で連結されていると共に、前記左右サイド支持体の下端部の少なくとも前後２カ所は左右側板を有する下向き開口部になっており、更に、前記棚本体は固定式の底板は備えておらず棚本体の内側から前記ねじを回転操作できる一方、
前記連結金具は、前記アンカーで床に固定されるベース板と、前記ベース板から上向きに突出して前記サイド支持体の下向き開口部に入り込む起立部とを有しており、前記サイド支持体における下向き開口部の側板が棚本体の内側から挿入されたねじで前記連結金具の起立部に締結されている、
棚装置。
【請求項３】
床に設置される棚本体と、前記棚本体を床に固定するための連結金具とを有しており、
前記棚本体は、左右のサイド支持体とこれらで支持される複数段の棚板とを有している一方、
前記連結金具は、その全体が前記サイド支持体の下方に位置した状態でアンカーによって床に固定されており、前記サイド支持体は、軸線を左右横向きにしたねじによって前記連結金具に固定されている構成であって、
前記棚本体における左右サイド支持体の前後両端部はそれぞれアジャスタボルトで高さ調節可能に支持されている一方、前記連結金具は前後アジャスタボルトの間の部位において前後方向に長く延びるように配置されており、前記連結金具の少なくとも前後２カ所の部位が前記アンカーで床に固定されており、前記アジャスタボルトとアンカーとは略一直線状に並んでいる、
棚装置。
【請求項４】
床に設置される棚本体と、前記棚本体を床に固定するための連結金具とを有しており、
前記棚本体は、左右のサイド支持体とこれらで支持される複数段の棚板とを有している一方、
前記連結金具は、その全体が前記サイド支持体の下方に位置した状態でアンカーによって床に固定されており、前記サイド支持体は、軸線を左右横向きにしたねじによって前記連結金具に固定されている構成であって、
前記連結金具と床との間には、前記アンカーの前後両側に延びるスペーサ板を配置可能であり、前記スペーサ板には、前記アンカーに嵌まる逃がし溝がその一側縁に開口するように形成されていると共に、前記逃がし溝を挟んで前後いずれか一方又は両方の部位には抜け止め穴が上下に貫通している一方、
前記連結金具には、前記スペーサ板の抜け止め穴に上から嵌まる止めねじをねじ込みできる雌ねじ穴が設けられている、
請求項１〜３のうちのいずれかに記載した棚装置。
【請求項５】
棚本体におけるサイド支持体の下方において前後方向に延びる細長いベース板と、前記ベースの少なくとも前後両端寄り部位に突設した起立部とを有しており、前記ベース板のうち、前記起立部よりも前後内側の少なくとも２カ所の部位に、前記アンカーが貫通する締結穴を設け、前記起立部には、前記サイド支持体を固定するボルトがねじ込まれる雌ねじ穴を空けている、
請求項２〜４のうちのいずれかに記載した棚装置に使用する連結金具。
【請求項６】
床に設置される棚本体と、前記棚本体を床に固定するための連結金具とを有しており、
前記棚本体は、複数段の棚板とこれらを左右両側から支持する左右のサイド支持体とを備えていて固定式の底板は備えておらず、前記左右のサイド支持体は、後端部又は前後中間部が背板で連結されている一方、
前記連結金具は、その全体が前記サイド支持体の下方に位置した状態でアンカーによって床に固定されており、前記サイド支持体は、軸線を左右横向きにしかつ前記棚本体の内側から回転操作されるねじで前記連結金具に固定されており、
前記棚本体が固定式の底板は備えていないことにより、前記ねじを前記棚本体の内側から回転操作することが許容されているという構成であって、
前記サイド支持体の下端部には、左右の側板を有しかつ前記連結金具が下方から入り込む下向き開口部が形成されており、前記下向き開口部が、当該下向き開口部の内部に位置した前記連結金具に前記ねじで固定されている、
棚装置。
【請求項７】
前記連結金具は、前記アンカーで床に固定されるベース板と、前記ベース板から上向きに突出して前記サイド支持体の下向き開口部に入り込む起立部とを有しており、前記サイド支持体における下向き開口部の側板が前記ねじで前記連結金具の起立部に締結されている、
請求項６に記載した棚装置。
【請求項８】
床に設置される棚本体と、前記棚本体を床に固定するための連結金具とを有しており、
前記棚本体は、左右のサイド支持体とこれらで支持される複数段の棚板とを有している一方、
前記連結金具は、その全体が前記棚本体の下方に位置した状態でアンカーによって床に固定されており、前記サイド支持体は、軸線を左右横向きにしたねじによって前記連結金具に固定されている構成であって、
前記サイド支持体の下端部には、左右の側板を有する下向き開口部が形成されており、前記下向き開口部と前記連結金具とを左右に重ねて両者を前記ねじで固定している、
棚装置。
【発明の詳細な説明】
【技術分野】
【０００１】
本願発明は、書架（書棚）のような棚装置（ラック）とこれを床に固定する連結金具とに関するものである。
【背景技術】
【０００２】
書架のような棚装置は、転倒防止のために床に固定することが行われている。特に、間口寸法に対して奥行き寸法が小さいと前後方向に倒れ易くなるため、前後方向に倒れることを防止する必要がある。また、転倒防止は特に地震対策として必要であり、図書館の書架のように不特定多数の人が使用する棚装置では、地震時における利用者の安全確保や書籍の散乱防止のために転倒防止手段は特に重要であると言える。
【０００３】
棚装置の転倒防止手段として従来は、水平片と垂直片とを有するＬ形の連結金具が使用されており、水平片をアンカーで床に固定し、垂直片を棚本体にボルト（ビス）で締結している。この場合、水平片は棚本体の外側に露出させていることが殆どであるため、体裁が悪いと共に、人の足が当たって躓くおそれもあった。
【０００４】
他方、特許文献１には、下向き開口の浅い箱状ベースを有するキャビネットを床に固定するための手段として、箱状ベースの内部に隠れるレール金具（連結金具）をアンカーで床に固定し、ベースを連結金具の上面にビスで固定することが記載されている。
【先行技術文献】
【特許文献】
【０００５】
【特許文献１】特開２０００−２３２２７０号公報
【発明の概要】
【発明が解決しようとする課題】
【０００６】
特許文献１のレール金具はキャビネットのベースの内部に隠れていて外側から視認できないため、美観が悪化したり人が躓いたりする問題は生じない。しかし、箱状ベースをレール部材に上から重ねてビスで締結するものであるため、書棚のように箱状ベースを備えていない棚装置には適用できない問題がある。また、床には凹凸や傾斜があることが多く、そこで連結金具と床との間にスペーサ板を配置して隣り合った棚装置の高さを調節したり水平度を出したりしているが、特許文献１の構成ではいったんキャビネットを設置するとレール部材の高さを変更することはできないため、床の凹凸や傾斜への対応が難しいという問題もあった。
【０００７】
棚本体はこのような現状に鑑み成されたものであり、棚装置用の改良された床固定構造を提供することを目的とするものである。
【課題を解決するための手段】
【０００８】
本願発明は棚装置と連結金具とを有している。このうち請求項１の発明は棚装置に関するもので、この発明は、床に設置される棚本体と、前記棚本体を床に固定するための連結金具とを有しており、前記棚本体は、複数段の棚板とこれらを左右両側から支持する左右のサイド支持体とを備えていて固定式の底板は備えておらず、前記左右のサイド支持体は、後端部又は前後中間部が背板で連結されている一方、前記連結金具は、その全体が前記サイド支持体の下方に位置した状態でアンカーによって床に固定されており、前記サイド支持体は、軸線を左右横向きにしかつ前記棚本体の内側から回転操作されるねじで前記連結金具に固定されており、前記棚本体が固定式の底板は備えていないことにより、前記ねじを前記棚本体の内側から回転操作することが許容されている。
【０００９】
請求項２の発明は、「床に設置される棚本体と、前記棚本体を床に固定するための連結金具とを有しており、前記棚本体は、左右のサイド支持体とこれらで支持される複数段の棚板とを有している一方、前記連結金具は、その全体が前記サイド支持体の下方に位置した状態でアンカーによって床に固定されており、前記サイド支持体は、軸線を左右横向きにしたねじによって前記連結金具に固定されている」という前提の構成において、
前記棚本体の左右サイド支持体は、板状の形態であってその後部又は前後中間部が背板で連結されていると共に、前記左右サイド支持体の下端部の少なくとも前後２カ所は左右側板を有する下向き開口部になっており、更に、前記棚本体は固定式の底板は備えておらず棚本体の内側から前記ねじを回転操作できる一方、前記連結金具は、前記アンカーで床に固定されるベース板と、前記ベース板から上向きに突出して前記サイド支持体の下向き開口部に入り込む起立部とを有しており、前記サイド支持体における下向き開口部の側板が棚本体の内側から挿入されたねじで前記連結金具の起立部に締結されている。
【００１０】
請求項３の発明は、請求項２と同じ前提の構成において、前記棚本体における左右サイド支持体の前後両端部はそれぞれアジャスタボルトで高さ調節可能に支持されている一方、前記連結金具は前後アジャスタボルトの間の部位において前後方向に長く延びるように配置されており、前記連結金具の少なくとも前後２カ所の部位が前記アンカーで床に固定されており、前記アジャスタボルトとアンカーとは略一直線状に並んでいる。
【００１１】
請求項４の発明は、請求項２と同じ前提の構成において、前記連結金具と床との間には、前記アンカーの前後両側に延びるスペーサ板を配置可能であり、前記スペーサ板には、前記アンカーに嵌まる逃がし溝がその一側縁に開口するように形成されていると共に、前記逃がし溝を挟んで前後いずれか一方又は両方の部位には抜け止め穴が上下に貫通している一方、前記連結金具には、前記スペーサ板の抜け止め穴に上から嵌まる止めねじをねじ込みできる雌ねじ穴が設けられている。
【００１２】
連結金具は請求項５で特定されている。すなわち、この連結金具は請求項２〜４のうちのいずれかに記載した連結金具を対象にしており、棚本体におけるサイド支持体の下方において前後方向に延びる細長いベース板と、前記ベースの少なくとも前後両端寄り部位に突設した起立部とを有しており、前記ベース板のうち、前記起立部よりも前後内側の少なくとも２カ所の部位に、前記アンカーが貫通する締結穴を設け、前記起立部には、前記サイド支持体を固定するボルトがねじ込まれる雌ねじ穴を空けている。
請求項６の発明は、請求項１の構成に加えて、「前記サイド支持体の下端部には、左右の側板を有しかつ前記連結金具が下方から入り込む下向き開口部が形成されており、前記下向き開口部が、当該下向き開口部の内部に位置した前記連結金具に前記ねじで固定されている」、という構成を含んでいる。
請求項７の発明は、請求項６において、前記連結金具は、前記アンカーで床に固定されるベース板と、前記ベース板から上向きに突出して前記サイド支持体の下向き開口部に入り込む起立部とを有しており、前記サイド支持体における下向き開口部の側板が前記ねじで前記連結金具の起立部に締結されている。
請求項８の発明は、請求項２と同じほぼ同様の前提の構成において、前記サイド支持体の下端部には、左右の側板を有する下向き開口部が形成されており、前記下向き開口部と前記連結金具とを左右に重ねて両者を前記ねじで固定している。
【発明の効果】
【００１３】
本願各発明では、連結金具は全体が棚本体の下方に配置されているので、連結金具が人目に触れて体裁が悪くなったり人が連結金具に躓いたりすることはない。また、棚本体のサイド支持体は横向き姿勢のねじで連結金具に固定されているため、例えば、連結金具と床との間にスペーサ板を差し込みながら高さや姿勢を調整することも簡単に行える。
【００１４】
請求項２，７の構成を採用すると、連結金具の起立部もサイド支持体の内部に隠れるため、連結金具が人目に触れることをより的確に防止して美観の向上を確実に実現できる。同様に、ねじは棚本体の内側からねじ込むものであるため、ねじの頭が人目に触れることはなく、この面においても体裁がよい。
【００１５】
既述のとおり、書架のような棚装置は間口寸法に対して奥行き寸法が小さいため、例えば地震時には前後方向に転倒し易くなる。この場合、棚本体にこれを前倒しする外力が作用すると、後部のアンカーに対して引き抜きの力が作用し、棚本体を後ろに倒そうとする外力が作用すると、前部のアンカーに対して引き抜きの力が作用することになるが、棚本体が前倒れしようとする場合は、棚本体の前倒れ支点から後部アンカーまでの距離（支持スパン）が大きいほど転倒しにくくなり、棚本体が後ろ倒れしようとする場合は、棚本体の後ろ倒れ支点から後部アンカーまでの距離が大きいほど転倒しにくくなる。
【００１６】
そして、請求項３の発明では、連結金具の前と後ろにアジャスタボルトがあってこれが接地しているため、棚本体はアジャスタボルトを支点にして転倒しようとすることになり、アジャスタボルトを備えていない場合に比べて支持スパンが長くなる（前後転倒に対する安定性が高くなる。）。その結果、高さ調節機能を損なうことなく転倒防止機能を向上できる。
【００１７】
また、例えば棚本体が前倒れしようすると連結金具の後部が浮こうとするが、請求項３ではアジャスタボルトとアンカーとが略一直線状に並んでいるため、アジャスタボルトが床に突っ張って連結金具の浮きがしっかり阻止される。その結果、転倒防止機能をより一層向上させることができる。
【００１８】
床の凹凸や傾斜に対応して連結金具の高さを調節するためのスペーサ板は様々の形態を採用できるが、請求項４の形態を採用すると、スペーサ板はねじで離反不能に保持された状態でアンカーで床に押さえ固定されているため安定性に優れており、しかも、止めねじを緩めることで、スペーサ板は連結金具と床との間に挿脱自在であるため、棚装置を所定位置にセットして連結金具をアンカーに嵌め込んだ状態のままで、スペーサ板を挿入したり取り外したりすることができる。
【００１９】
すなわち、連結金具をアンカーから抜き外すことなく、スペーサ板を連結金具と床との間に挿脱できるのであり、このため、床の状態に合わせて高さ調節しながら棚装置を設置していく作業を簡単に行える。特に、請求項３のようにアジャスタボルトを設けていると、アジャスタボルトで所定の高さに保持してから連結金具と床との間の隙間にスペーサ板を挿入することができるため、特に好適である。
【図面の簡単な説明】
【００２０】
【図１】（Ａ）は本願発明を適用した書架の斜視図、（Ｂ）は（Ａ）のＢ−Ｂ視断面図である。
【図２】（Ａ）は図１（Ａ）のIIA-IIA 視断面図、（Ｂ）は（Ａ）のＢ−Ｂ視断面図である。
【図３】要部の分離斜視図である。
【図４】（Ａ）は要部の側断面図、（Ｂ）は（Ａ）のＢ−Ｂ視断面図である。
【図５】片面仕様タイプでかつスペーサ板を使用した書架の側面図である。
【図６】図５のVI-VI 視断面図である。
【図７】作用を示す模式図である。
【発明を実施するための形態】
【００２１】
次に、本願発明の実施形態を図面に基づいて説明する。本実施形態は、書架（書棚）に適用している。本願発明では、方向を特定するため「前後」「左右」の文言を使用するが、書架の奥行き方向が「前後」の方向であり、間口方向が「左右」の方向である。
【００２２】
(1).概略
まず、図１〜図３に基づいて概略を説明する。書架は、板状の外観を呈する左右のサイド支持体１と、これら左右のサイド支持体１を連結する背板２、及び左右のサイド支持体１と背板２との間の物品収納部に配置した複数枚の棚板３とを有しており、これらサイド支持体１と背板２と棚板３とで棚本体４が構成されている。図１〜４の実施形態は、背板２を挟んだ前後両側に収納部を有する両面仕様タイプであり、このため、背板２は左右サイド支持体１の前後中間部に連結されている。なお、サイド支持体１は、側パネル又は側枠体と呼ぶことも可能である。
【００２３】
書架を左右に連結された多連式と成す場合は、隣り合った書架でサイド支持体１が共用されている。従って、多数枚のサイド支持体１の群のうち左右最端のものをエンド支持体と呼び、エンド支持体の間に位置したものを中間支持体と呼ぶことも可能である。
【００２４】
図１（Ｂ）や図２に示すように、サイド支持体１は、大まかには木質系の芯板５の両面に金属製化粧板（表面板）６を張った構造になっており、前端と後端との内部には上下長手で前後外側に開口したコの字形のフロント縦補強枠７を配置し、前後中間部には、１本の第１センター補強枠８と、その前後両側に配置した第２センター補強枠９とを配置している。
【００２５】
化粧板６の前後両端部は、内向きに折り返されている。サイド支持体１の上端部には前後長手のアッパー補強枠を設けているが、本願発明との関連はないので説明は省略する。サイド支持体１の化粧板６には、棚板３を支持するブラケット（図示せず）が嵌まる係止穴１０を多段に設けている。係止穴１０は、バーリング加工によって筒状に形成されている。係止穴１０は、フロント補強枠８と芯板４との間、及び、第２センター補強枠９と芯板４との間の部位に形成している。なお、エンドに位置したサイド支持体１については、収納部に面した片側の化粧板６のみに係止穴１０を設けている。
【００２６】
サイド支持体１の下端部のうち前部と後部とには、それぞれ前後方向に長い下補強枠１１を配置している。下補強枠１１は、左右の側板１１ａ，１１ｂを有する正面視下向き開口コの字形の形態であり、表裏の化粧板６で左右から挟まれている（下補強枠１１は化粧板６に接着されている。）。この下補強枠１１により、請求項に記載した下向き開口部が構成されている。なお、下補強枠１１を前後に分離せずに、一連に延びる形態と成すことも可能である。すなわち、サイド支持体１の下端部の全体を下向き開口部と成すことも可能である。
【００２７】
下補強枠１１の前端部にはフロント縦補強枠７が上から当接しており、両者は溶接によって一体化されている。また、下補強枠１１の前端部の上底面には四角形の支持ナット１２が溶接されており、支持ナット１２に下方からアジャスタボルト１３がねじ込まれている。アジャスタボルト１３は、下補強枠１１を貫通してフロント縦補強枠７に入り込んでいる。
【００２８】
図２（Ｂ）に示すように、背板２も芯板１４に化粧板１５を張った基本構造であり、左右両側部や上端部には補強枠１６を設けている。背板２は、連結金具（図示せず）を使用してサイド支持体１に連結されている。敢えて述べるまでもないが、サイド支持体１や背板２の構造は任意に設定できる。
【００２９】
(2).床への固定構造
棚本体４は、サイド支持体１の下に配置した連結金具１８によって床Ｆに固定されている。この点を図４も参照して説明する。連結金具１８は、アンカー１９で床Ｆに固定される前後長手のベース板２０と、ベース板２０の前後両端部に上向き突設した起立部２１とで構成されている。ベース板１０と起立部２１とはいずれも厚い金属板（鋼板）から成っており、両者は溶接によって一体化されている。
【００３０】
起立部２１は、サイド支持体１を構成する下補強枠１１の内部に入り込んでおり、下補強枠１１の一方の側板１１ａが、横向き姿勢のボルト２２で起立部２１に締結されている。このため、下補強枠１１の側板１１ａ，１１ｂと化粧板６とにボルト挿通穴２３が空いていると共に、起立部２１には雌ねじ穴２４が形成されている。ボルト挿通穴２３は多少の高さ調節を可能にするため上下に長い長穴になっている。また、ボルト２２には通常よりも大径の座金２５が嵌まっている。ボルト２２はねじの一例である。
【００３１】
図４（Ｂ）に示すように、ボルト２２は、左右サイド支持体１の間の部位（棚本体１の内部）から起立部２１にねじ込まれている。従って、ボルト２２の頭が棚本体１の外側に露出することはない。また、ベース板２０は、左右中間部がアンカー１９で固定されるようになっている。このため、連結金具１８は、起立部２１が右にずれた状態でも左にずれた状態でも、サイド支持体１を締結することができる。
【００３２】
エンドに位置したサイド支持体１を除いた中間位置のサイド支持体１については、下補強枠１１のいずれの側板１１ａ，１１ｂを固定してもボルト２２の頭は外側から見えないので、起立部２１は右にずれた状態でも左にずれた状態でもよいが、施工に際しては、起立部２１が右にずれた状態か左にずれた状態かのいずれかを基準にして全体を揃え、１つのエンドの箇所においてのみ逆に配置するのが良いと言える。なお、連結金具１８は、前後向きを変えると起立部２１が左にずれた状態と右にずれた状態とに変わるため、１種類のみで足りる。
【００３３】
連結金具１８のベース板２０は前後アジャスタボルト１３の近くまで延びており、起立部２１の内側（ベース板１９の前後中間部寄りの側）には、アンカー１９に嵌まる締結穴２５が空いている。締結穴２５は前後対称位置に形成されており、アンカー１９の施工誤差を吸収するため左右長手の長穴になっている。図１（Ｂ）に明示するように、アンカー１９（及び締結穴２５）とアジャスタボルト１３とは、ベース板２０及びサイド支持体１の前後長手中心線Ｏ上に位置している。すなわち、前後のアジャスタボルト１３と前後アンカー１９及び締結穴２５は、前後方向に一直線状に並んでいる。
【００３４】
アンカー１９は、下穴に挿入してから芯棒を打ち込み又はねじ込む拡張式のタイプであり、床上に露出した雄ねじ部にナット２６をねじ込むことにより、サイド支持体１が床Ｆに固定される。敢えて述べるまでもないが、アンカー１９は拡張式である必然性はなく、ねじ込み式のものやケミカルアンカーなども使用できる。
【００３５】
ベース板２０のうち締結穴２５よりも前後内側の部位には、スペーサ板２７を取り付けるための止めねじ（ボルト）２８がねじ込まれる雌ねじ穴２９を空けている。雌ねじ穴２９も前後対称の位置に空けられている。スペーサ板２７の一端部には、止めねじ２９が貫通する抜け止め穴３０を空けており、また、前後中間部には、アンカー１９に横から嵌脱する逃がし溝３１が長手一側縁に切り開き形成されている。
【００３６】
図５では、スペーサ板２７を使用して高さ調節している状態を示している（この図５に示す書架は片面仕様である。）。敢えて述べるまでもないが、スペーサ板２７は、下補強枠１１の側板１１ａ，１１ｂに空けたボルト挿通穴２３によっては高さ調節できないときに使用される。スペーサ板２７は、ベース板２０の前後両端まで延びている。
【００３７】
スペーサ板２７を使用した固定工程では、具体的には、アジャスタボルト１３で高さ調節して、ベース板２０と床Ｆとの間に空いた隙間にスペーサ板２７を必要枚数挿入し、次いで、ベース板２０の雌ねじ穴２９にねじ込んだ止めねじ２８をスペーサ板２７の抜け止め穴３０に挿入すると共に、逃がし溝３１をアンカー１９に横から嵌め込み、次いで、アジャスタボルト１３を上向きにねじ込むことで当該アジャスタボルト１３の床Ｆへの突っ張りをいったん解除して、次いで、ナット２６をアンカー１９にねじ込んでスペーサ板２７を床に押さえ固定し、それから再びアジャスタボルト１３を下向きにねじ戻して床Ｆに突っ張らせる、という手順が採られる。スペーサ板２７の要否や使用する場合の枚数は、各アンカー１９の箇所で判断したらよい。
【００３８】
(3).まとめ
既に述べたように、連結金具１８はサイド支持体１の下方に隠れているので、人目に触れることは殆どない。このため体裁が良いと共に、連結金具１８に人の靴が当たって躓くといった問題は全くない。また、棚板３は着脱自在であり、棚本体４の収納部を広く開放できるため、ボルト２２を棚本体４の収納部からねじ込むことに全く支障はない。従って、設置作業の容易性を損なうことなく、美観の悪化を防止できると共に躓きも防止できるのである。
【００３９】
図７に示すように、地震等によって例えば棚本体４を前倒しする外力Ｇが作用すると、棚本体４は一点鎖線で示すように前倒れする状態になり、これに伴い、後部のアンカー１９に引き抜きの作用（モーメント）がかかる。この場合、後部のアンカー１９に作用する引き抜き力Ｇ′は、棚本体４の前傾支点から後部のアンカー１９までの距離スパンに反比例するが、アジャスタボルト１３が存在しない場合はスパンがＬ１であるのに対して、アジャスタボルト１３が存在するとスパンはＬ２と大きくなる。このため、アンカー１９に作用する引き抜き力Ｇ′を抑制して固定強度を向上できる。
【００４０】
また、棚本体４に前倒ししようとする外力Ｆが作用すると、連結金具１８は後部のボルト２２の箇所で引き上げられる状態になり、従って、後部のアンカー１９を引き抜こうする力Ｇ′の大きさは、棚本体４の前傾支点から後部のボルト２２までの距離に反比例する。そして、本実施形態ではアジャスタボルト１３が傾動支点になるため、棚本体４の前傾支点から後部のボルト２２までの距離は、アジャスタボルト１３を備えていない場合のＬ３よりも大きい寸法であるＬ４になっており、このため、アンカー１９に作用する引き抜き力そのものも小さくなる。
【００４１】
このように、本実施形態では、棚本体４に、これを前後いずれかに転倒させようとする外力が作用した場合、棚本体４の支持スパンと連結金具１８の支持スパンとの両方をできるだけ大きくして、高い安定性を確保できるのである。また、アジャスタボルト１３とアンカー１９とが左右にずれていると、アジャスタボルト１３の突っ張り作用が弱くなるが、本実施形態のようにアジャスタボルト１３とアンカー１９とを略一直線状に配置すると、アジャスタボルト１３でしっかりと突っ張ってアンカー１９の抜けを阻止する状態になるため、安定性の向上に一層優れている。
【００４２】
(4).その他
本願発明は、上記の実施形態の他にも様々に具体化できる。例えば、棚装置を構成するサイド支持体は必ずしも板状（パネル状）である必要はなく、前後の支柱を横桟で繋いだ枠組方式としたり、全体をスチール製のパネル構造とするといったことも可能である。書架以外の各種の棚装置に適用できることも勿論である。連結金具は、１枚の金属板をＬ形に曲げ加工した形態であってもよい。棚本体のサイド支持体を連結金具に固定する手段としては、サイド支持体の下端部にナットを溶接等で固定し、連結金具に挿通したボルトをこのナットにねじ込むといったことも可能である。
【産業上の利用可能性】
【００４３】
本願発明は、書架等の棚装置に具体化できる。従って、産業上利用できる。
【符号の説明】
【００４４】
１  サイド支持体
２  背板
３  棚板
４  棚本体
５  サイド支持体の芯板
６  サイド支持体の化粧板
７  フロント縦補強枠
１８  連結金具
１９  アンカー
２０  ベース板
２１  起立部
２２  ボルト（ねじ）
２７  スペーサ板
２９  止めねじ（ボルト）
３０  抜け止め穴
３１  逃がし溝
【図１】
0005843510.tif 000002
【図２】
0005843510.tif 000003
【図３】
0005843510.tif 000004
【図４】
0005843510.tif 000005
【図５】
0005843510.tif 000006
【図６】
0005843510.tif 000007
【図７】
0005843510.tif 000008